(57)【特許請求の範囲】
【請求項１】
表示手段と，パーソナルコンピュータから供給される垂直同期信号及び水平同期信号を含む同期信号の入力の有無を検出する同期信号検出手段と，前記同期信号検出手段の検出結果に従って電源からの電力の供給状態を制御する電源制御手段と，前記表示手段に表示させる画面の表示モードがＶＧＡ(Video Graphics Array)モードを含む予め定められた複数の表示モードのうちいずれであるかを前記同期信号に基づいて検出する表示モード検出手段とを備えた表示装置であって，
前記電源制御手段が，
前記表示手段に表示させる画面の表示モードが前記複数の表示モードのうちのＶＧＡモードになったことが前記表示モード検出手段により検出されてから設定時間内に前記同期信号検出手段により前記同期信号の入力がある状態から入力のない状態に状態変化したことが検出された場合に，前記電源からの電力供給をオフにし，
前記表示手段に表示させる画面の表示モードが前記ＶＧＡモードになったことが前記表示モード検出手段により検出されることなく前記同期信号検出手段により前記状態変化が検出された場合に，電力供給を抑えるＤＰＭＳ(Display Power Management Signaling)モードで前記電源を動作させてなる表示装置。
【請求項２】
前記ＤＰＭＳモードが，前記同期信号検出手段及び前記電源制御手段を含めた装置の一部にのみ前記電源からの電力が供給されるものであって，
前記電源制御手段が，前記ＤＰＭＳモードで前記電源が動作してから，前記同期信号検出手段により前記同期信号の入力が検出されたときには，前記電源からの電力を装置全体に供給させてなる請求項１記載の表示装置。
【請求項３】
前記電源制御手段により操作が検出される操作手段を備え，前記電源からの電力供給がオフにされた場合に，前記操作手段及び前記電源制御手段を含む操作検出系にのみ前記電源からの電力が供給されており，前記電源からの電力供給がオフにされてから，前記電源制御手段により前記操作手段の操作が検出されたときには，前記電源制御手段が，前記電源からの電力を装置全体に供給させてなる請求項１又は２記載の表示装置。
【請求項４】
前記電源制御手段が，前記表示手段に表示させる画面の表示モードが前記ＶＧＡモードになったことが前記表示モード検出手段により検出されてから前記設定時間が経過した後に前記同期信号検出手段により前記状態変化が検出された場合に前記ＤＰＭＳモードで前記電源を動作させてなる請求項１〜３のいずれかに記載の表示装置。
【発明の詳細な説明】
【０００１】
【発明の属する技術分野】
本発明は，表示手段と，同期信号の入力の有無を検出する同期信号検出手段と，前記同期信号検出手段の検出結果に従って電源からの電力の供給状態を制御する電源制御手段と，前記表示手段に表示させる画面の表示モードが予め定められた複数の表示モードのうちいずれであるかを前記同期信号に基づいて検出する表示モード検出手段とを備えた表示装置に関するものである。
【０００２】
【従来の技術】
ディスプレイの電源管理を行うための規格の一つに，業界団体ＶＥＳＡ(Video Electoronics Standards Association)により策定されたＤＰＭＳ(Display Power Management Signaling)がある。ＤＰＭＳに対応したディスプレイでは，パーソナルコンピュータから供給される同期信号が無くなった事を検出すると，表示系回路への電力供給をオフしたり，同期信号の検出系の回路を除いた他の回路への電力供給をオフしたりする。また，全ての回路への電力供給をオフする方法も考えられる。
パーソナルコンピュータから供給される同期信号は，例えばパーソナルコンピュータに対して所定時間操作がなされなかったときに，パーソナルコンピュータからディスプレイに供給されなくなる。また，パーソナルコンピュータ上のＯＳ(Operating System)をシャットダウンし，パーソナルコンピュータの電源を切断した際にも，同期信号は供給されなくなる。
表示系回路への電力供給や，同期信号の検出系の回路を除いた他の回路への電力供給をオフする場合，パーソナルコンピュータから再び同期信号が供給されるようになると，当該回路に電力供給が行われ，パーソナルコンピュータからの表示信号に従って画面がディスプレイに表示される。
【０００３】
【発明が解決しようとする課題】
上述のように，パーソナルコンピュータ上のＯＳをシャットダウンしてパーソナルコンピュータの電源を切断すると，同期信号の供給が無くなるため，表示系回路への電力供給や，同期信号の検出系の回路を除いた他の回路への電力供給がオフされる。この場合，パーソナルコンピュータに再び電源が投入されるまで，パーソナルコンピュータからディスプレイに同期信号が供給されない。
パーソナルコンピュータの電源が切断されている状態においては，パーソナルコンピュータからディスプレイに表示信号が供給されることはないのであるから，復帰に備えて一部の回路への電力供給を維持していても，その電力は無駄に消費されることになる。従来のディスプレイでは，その無駄を避けるために，利用者がディスプレイの電源スイッチを操作して，ディスプレイの電源を切断する必要があった。
また，全ての回路への電力供給をオフする方法の場合，前記所定時間経過後直ぐにパーソナルコンピュータからの表示信号に従った画面をディスプレイに表示させるときでも，利用者がディスプレイの電源スイッチを操作することになり，面倒である。
このように従来の表示装置では，表示装置の省電力のためにパーソナルコンピュータから同期信号が供給されなくなったのか，パーソナルコンピュータの電源が切断されたために，パーソナルコンピュータから同期信号が供給されていないのかを区別することができないために不都合が生じることがあった。
本発明は，このような従来の技術における課題を鑑みてなされたものであり，パーソナルコンピュータの電源が切断される前に表示モードが切り換えられる場合には，その切換えを検出して，表示装置の省電力のために同期信号が供給されなくなったのか，パーソナルコンピュータの電源が切断されたために同期信号が供給されていないのかを区別することにより，電源スイッチの操作の必要性を抑えて利便性を向上させた表示装置を提供することを目的とするものである。
【０００４】
【課題を解決するための手段】
上述の目的を達成するために，本発明は，表示手段と，パーソナルコンピュータから供給される垂直同期信号及び水平同期信号を含む同期信号の入力の有無を検出する同期信号検出手段と，前記同期信号検出手段の検出結果に従って電源からの電力の供給状態を制御する電源制御手段と，前記表示手段に表示させる画面の表示モードがＶＧＡ(Video Graphics Array)モードを含む予め定められた複数の表示モードのうちいずれであるかを前記同期信号に基づいて検出する表示モード検出手段とを備えた表示装置であって，前記電源制御手段が，前記表示手段に表示させる画面の表示モードが前記複数の表示モードのうちの所定の表示モードになったことが前記表示モード検出手段により検出されてから設定時間内に前記同期信号検出手段により前記同期信号の入力ががある状態から入力のない状態に状態変化したことが検出された場合に，前記電源からの電力供給をオフにし，前記表示手段に表示させる画面の表示モードが前記ＶＧＡモードになったことが前記表示モード検出手段により検出されることなく前記同期信号検出手段により前記状態変化が検出された場合に，電力供給を抑えるＤＰＭＳ(Display Power Management Signaling)モードで前記電源を動作させてなる表示装置として構成されている。
本発明に係る表示装置では，表示手段に表示させる画面の表示モードが予め定められた複数の表示モードのうちのＶＧＡモードになったことが検出されてから，設定時間内に，同期信号の入力がなくなったことが検出されると，電源からの電力供給がオフにされる。
前記表示装置に同期信号を供給することになる多くのパーソナルコンピュータでは，パーソナルコンピュータの電源が切断される際には，その前の表示モードがＳＶＧＡ(Super Video Graphics Array)モードや，ＸＧＡ(eXtended Graphics Array) モードなどであっても，一旦初期化が行われて表示モードが短時間ＶＧＡ(Video Graphics Array)モードにされてから，電源が切断される。電源が切断された後は，当然ながらパーソナルコンピュータから前記表示装置には同期信号は供給されない。通常ＶＧＡモードはほとんど利用されておらず，上述のようなパーソナルコンピュータでは，ＶＧＡモードになったことが検出されてから，設定時間内に，同期信号の入力がなくなれば，実際上パーソナルコンピュータの電源は切断されたと推定できる。
従って，本発明に係る表示装置では，上述のようなパーソナルコンピュータの電源が切断された場合には，自動的に電源からの装置全体に対する電力供給がオフにされることになり，利用者が表示装置の電源スイッチを操作するなどしなくても，電力の無駄な消費がほとんど抑えられる。
【０００５】
一方，前記表示手段に表示させる画面の表示モードが前記ＶＧＡモードになったことが前記表示モード検出手段により検出されることなく前記同期信号検出手段により前記状態変化が検出された場合は，前記ＤＰＭＳモードで前記電源が動作する。ここに，前記ＤＰＭＳモードは，前記同期信号検出手段及び前記電源制御手段を含めた装置の一部にのみ前記電源からの電力が供給されるものである。このＤＰＭＳモードでは，前記同期信号検出手段及び前記電源制御手段を含めた装置の一部にのみ電力が供給されることにより通常動作の場合よりも電力消費が抑えられるが，前記電源制御手段には電力が供給されているため，前記同期信号検出手段の検出結果に従って電源からの電力供給状態を制御することができる。
例えば前記電源制御手段が，前記ＤＰＭＳモードで前記電源が動作してから，前記同期信号検出手段により前記同期信号の入力が検出されたときには，前記電源制御手段が前記電源からの電力を装置全体に供給させれば，利用者がパーソナルコンピュータの操作を再開するなどして，前記同期信号の入力が検出されたときに，利用者が表示装置の電源スイッチを操作するなどしなくても，自動的に前記表示手段の表示が再開される。
このように，本発明に係る表示装置では，表示装置の省電力のために同期信号が供給されなくなったのか，パーソナルコンピュータの電源が切断されたために同期信号が供給されていないのかが区別されるため，電源スイッチの操作の必要性が抑えられ，利便性を向上させることができる。
なお，本発明に係る表示装置においては，表示手段に表示させる画面の表示モードが予め定められた複数の表示モードのうちのＶＧＡモードになったことが検出されてから，設定時間内に，同期信号の入力がなくなったことが検出されると，電源からの装置全体に対する電力供給を零に，即ち電源を完全に切断してもよい。
また，前記電源制御手段により操作が検出される操作手段を備え，前記電源からの電力供給がオフにされたときに前記操作手段及び前記電源制御手段を含む操作検出系にのみ前記電源からの電力を供給させ，前記電源制御手段により前記操作手段の操作が検出されたときには，前記電源制御手段が前記電源からの電力を装置全体に供給させれば，前記操作手段を用いて装置全体に対する前記電源からの電力供給を再開させることができる。
なお，前記電源制御手段が，前記表示手段に表示させる画面の表示モードが前記ＶＧＡモードになったことが前記表示モード検出手段により検出されてから前記設定時間が経過した後に前記同期信号検出手段により前記状態変化が検出された場合にも前記ＤＰＭＳモードで前記電源を動作させることが考えられる。
【０００６】
【発明の実施の形態】
以下，添付図面を参照して，本発明の実施の形態につき説明し，本発明の理解に供する。なお，以下の実施の形態は，本発明の具体的な例であって，本発明の技術的範囲を限定する性格のものではない。
本発明の実施の形態に係る表示装置は，例えばアナログＲＧＢ信号及び水平／垂直同期信号を含む表示信号に従った表示を行うアナログＬＣＤモニターとして具体化される。
図１に示す如く，前記モニターは，２つのＤ−ＳＵＢ入力端子１，２，セレクタスイッチ回路３，バッファ回路４，マイクロプロセッサユニット（ＭＰＵ）５，操作手段６，ＬＥＤ回路７，ＰＬＬ(Phase Lock Loop) 回路８，増幅回路９，Ａ／Ｄ変換回路１０，フィールドメモリ１１，ＡＳＩＣ１２，ＬＣＤモジュール１３，インバータ回路１４，電源回路１５などを備えている。
前記Ｄ−ＳＵＢ入力端子１，２は，いずれも前記表示信号を入力するための入力端子であり，前記セレクタスイッチ回路３に接続されている。
前記セレクタスイッチ回路３は，前記Ｄ−ＳＵＢ入力端子１，２のいずれかから入力された前記表示信号を選択し，選択した前記表示信号をアナログＲＧＢ信号と水平／垂直同期信号に分離するための回路であり，前記バッファ回路４及び前記増幅回路９に接続されている。
前記バッファ回路４は，前記セレクタスイッチ回路３から供給された水平／垂直同期信号をバッファリングするための回路であり，前記ＭＰＵ５及び前記ＰＬＬ回路８に接続されている。
前記ＭＰＵ５は，所定の処理が記述された制御プログラムを実行するための演算処理回路である。前記処理には，前記バッファ回路４からの水平／垂直同期信号の有無を検出する処理と，水平／垂直同期信号の検出結果に従って前記電源回路１５からの電力の供給状態を制御する処理と，水平／垂直同期信号に基づいて前記表示モードを検出する処理とが含まれる。前記ＭＰＵ５は，前記増幅回路９，前記Ａ／Ｄ変換回路１０，前記フィールドメモリ１１，前記ＡＳＩＣ１２，前記ＬＣＤモジュール１３，前記インバータ回路１４，前記電源回路１５との間で信号を授受し前記処理を行う。また，前記ＭＰＵ５には，前記操作手段６，前記ＬＥＤ回路７も接続されている。また，前記ＭＰＵ５にはタイマーが内蔵されている。
【０００７】
前記操作手段６は，前記アナログＬＣＤモニターの電源操作スイッチや表示調整のためのスイッチなどを備えた入力手段であり，利用者の操作は前記操作手段６によって電気信号に変換され，前記ＭＰＵ５に供給される。
前記ＬＥＤ回路７は，例えば緑色とオレンジ色の２色を点灯させることができるＬＥＤを備えた回路である。前記ＭＰＵ５からの指示によって前記ＬＥＤが緑色に点灯している場合には，前記アナログＬＣＤモニターが通常動作を行っていることを表し，前記ＭＰＵ５からの指示によって前記ＬＥＤがオレンジ色に点灯している場合には，前記アナログＬＣＤモニターがＤＰＭＳモードにより動作していることを表し，前記ＬＥＤが消灯している場合には，前記アナログＬＣＤモニターの電源が略切断されていることを表す。
前記ＰＬＬ回路８は，水平同期信号に発振周波数を同期させる回路であり，前記Ａ／Ｄ変換回路１０に接続されている。
前記増幅回路９は，前記セレクタスイッチ回路３から供給されたアナログＲＧＢ信号を増幅するための回路であり，前記Ａ／Ｄ変換回路１０に接続されている。
前記Ａ／Ｄ変換回路１０は，前記ＰＬＬ回路８から発振された信号に従って，前記増幅回路９から供給されたアナログＲＧＢ信号をディジタル信号に変換する回路であり，その出力は前記フィールドメモリ１１に接続されている。
前記フィールドメモリ１１は，前記Ａ／Ｄ変換回路１０から供給されたディジタルＲＧＢ信号を格納するメモリである。
前記ＡＳＩＣ１２は，前記フィールドメモリ１１に格納されたディジタルＲＧＢ信号を読み出して，前記ＬＣＤモジュール１３に表示させる制御を行う専用ＩＣ回路である。
前記ＬＣＤモジュール１３は，ＬＣＤパネルなどを備えた表示モジュールである。
前記インバータ回路１４は，前記ＬＣＤモジュール１３の背面にあるランプ（バックライト）を点灯駆動するためのインバータ回路である。
【０００８】
前記電源回路１５は，入力された交流電力を直流電力に変換して，前記アナログＬＣＤモニターに供給する電源回路である。
前記電源回路１５から見ると，上述した構成３乃至１４は，３つの電源供給区画に分けられている。前記ＭＰＵ５及び前記操作手段６を含む図１の２点鎖線内の区画（操作検出系に相当）Ｅ１と，前記区画Ｅ１，前記セレクタスイッチ回路３，前記バッファ回路４，及び前記ＬＥＤ回路７を含む図１の点線内の区画Ｅ２と，前記区画１，前記区画２も含めて前記構成３乃至１４を含む図１の破線内の区画Ｅ３との３つの区画である。
前記電源回路１５は，前記ＭＰＵ５の制御に従って，これら区画Ｅ１乃至Ｅ３のいずれかに電力を供給する。通常の電力供給状態は，前記電源回路１５からの電力が前記区画Ｅ３に供給されている状態である。この状態においては，前記ＬＣＤモジュール１３などの表示系の回路にも電力が供給されており，前記Ｄ−ＳＵＢ入力端子１，２から供給された前記表示信号に従った表示が行われる。
これに対し，消費電力を抑えるＤＰＭＳモードでは，前記区画Ｅ２にのみ前記電源回路１５からの電力が供給されている状態となる。この状態では，電力消費の大きい前記ＬＣＤモジュール１３などに電力が供給されず，水平／垂直同期信号の入力処理系の回路や前記アナログＬＣＤモニターの状態を表示する前記ＬＥＤ回路７にのみ電力が供給される。
また，前記区画Ｅ１にのみ前記電源回路１５からの電力が供給されている状態は，前記アナログＬＣＤモニターの電源が実質的にオフにされている状態であり，前記ＬＥＤ回路７は消灯状態となる。前記ＭＰＵ５及び前記操作手段６を含む前記区画Ｅ１における消費電力は通常の消費電力と比べるとほとんど零である。前記操作手段６の電源操作スイッチが利用者により操作されたときには，その操作が前記ＭＰＵ５により検出され，前記ＭＰＵ５の制御に従って前記電源回路１５からの電力の供給状態が変更され，前記区画Ｅ３に電力が供給される状態に移行する。
【０００９】
以下，上述のような構成を有した前記アナログＬＣＤモニターの動作について図２に示すフローチャートを参照して説明する。
常時前記電源回路１５からの電力が供給されている前記ＭＰＵ５により前記操作手段６の電源操作スイッチをオンする操作が行われたか否かが検出される（Ｓ１）。検出されない場合には，この検出動作が繰り返される。
利用者により前記電源操作スイッチをオンする操作が行われ，前記ＭＰＵ５により前記電源操作スイッチをオンする操作が検出された場合，前記ＭＰＵ５に内蔵されたタイマーが０にリセットされ，当該タイマーはオフ状態に設定される（Ｓ２）。
次に，前記ＭＰＵ５により前記バッファ回路４からの水平／垂直同期信号の有無が検出される（Ｓ３）。
水平／垂直同期信号が検出された場合には，通常の動作モードとなり，前記ＭＰＵ５の制御に従って，前記区画Ｅ３に前記電源回路１５からの電力が供給され，前記ＭＰＵ５の指示に従って，前記ＬＥＤ回路７のＬＥＤが緑色に点灯する（Ｓ４）。
次に，前記ＭＰＵ５により前記電源操作スイッチをオフする操作が行われたか否かが検出される（Ｓ５）。
前記電源操作スイッチをオフする操作が行われていなければ，水平／垂直同期信号の周波数を判別する周波数判別処理が前記ＭＰＵ５により行われる（Ｓ６）。
前記周波数判別処理が行われると，その結果に基づいて前記ＭＰＵ５により表示モードがＶＧＡモードであるか否かが判別される（Ｓ７）。
前記表示モードがＶＧＡモードであれば，前記タイマーが０にリセットされ，前記タイマーがオン状態にされ，前記タイマーによる計時が開始される（Ｓ８）。
次に，予め格納されたＶＧＡ設定データが前記ＭＰＵ５により読み出され，前記ＶＧＡデータが前記ＡＳＩＣ１２に供給され（Ｓ９），処理が前記手順Ｓ３に戻される。
また，前記表示モードがＶＧＡモードでなければ，前記ＭＰＵ５により前記表示モードがＳＶＧＡモードであるか否かが判別される（Ｓ１０）。
前記表示モードがＳＶＧＡモードであれば，予め格納されたＳＶＧＡ設定データが前記ＭＰＵ５により読み出され，前記ＳＶＧＡ設定データが前記ＡＳＩＣ１２に供給され（Ｓ１１），処理が前記手順Ｓ２に戻される。
次に，前記表示モードがＳＶＧＡモードでもなければ，前記ＭＰＵ５により前記表示モードがＸＧＡモードであるか否かが判別される（Ｓ１２）。
前記表示モードがＸＧＡモードであれば，予め格納されたＸＧＡ設定データが前記ＭＰＵ５により読み出され，前記ＸＧＡ設定データが前記ＡＳＩＣ１２に供給され（Ｓ１３），処理が前記手順Ｓ２に戻される。
さらに，前記表示モードがＸＧＡモードでもなければ，前記ＭＰＵ５により表示外処理が行われ（Ｓ１４），処理が前記手順Ｓ３に戻される。
【００１０】
このような手順Ｓ１からＳ１４の処理が行われている間，前記電源回路１５からの電力は前記区画Ｅ３に供給されており，前記Ｄ−ＳＵＢ入力端子１，２から入力された前記表示信号に従った表示が前記ＬＣＤモジュール１３などにより行われている。
例えばパーソナルコンピュータが所定時間操作されなかったときに，パーソナルコンピュータから前記表示信号が前記Ｄ−ＳＵＢ入力端子１，２に入力されなくなって，前記手順Ｓ３において，水平／垂直同期信号が無くなったことが検出された場合，前記タイマーがオン状態にされており，そのときの前記タイマーの計時時間が１分以内であるか否かが前記ＭＰＵ５により判別される（Ｓ１５）。
前記タイマーがオン状態にされているのは，前記表示モードがＶＧＡモードである場合のみであり，前記表示モードがＶＧＡモードに切り換えられてから，水平／垂直同期信号が無くなったことが検出されたのが１分以内であれば，前記ＭＰＵ５の制御により前記電源回路１５からの電力供給状態が変更され，前記電源回路１５からの電力が前記区画Ｅ１にのみ供給される状態となり，実質的に電源が切断され（Ｓ１６），処理は前記手順Ｓ１に戻ることになる。
多くのパーソナルコンピュータでは，パーソナルコンピュータの電源が切断される際には，その前の表示モードがＳＶＧＡモードや，ＸＧＡモードなどであっても，一旦初期化が行われて表示モードがＶＧＡモードにされてから，電源が切断される。このため，前記表示モードがＶＧＡモードに切り換えられてから１分内に水平／垂直同期信号が検出されなくなったときには，実際上パーソナルコンピュータの電源は切断されていると推定でき，このときに実質的に前記アナログＬＣＤモニターの電源を切断することによって，利用者が前記アナログＬＣＤモニターの前記電源操作スイッチをオフする操作をしなくとも，自動的に電力の消費が略零にされ，無駄な電力消費を極力抑えることができる。
また，前記タイマーがオン状態にされていなかったり，前記タイマーがオン状態にされていても，前記タイマーの計時時間が１分以内でなければ，前記ＭＰＵ５の制御により前記電源回路１５からの電力供給状態が変更され，前記電源回路１５からの電力が前記区画Ｅ２にのみ供給される状態となる（Ｓ１７）。すなわち，前記アナログＬＣＤモニターはＤＰＭＳモードで動作することになる。
【００１１】
前記アナログＬＣＤモニターがＤＰＭＳモードで動作してから，前記ＭＰＵ５により水平／垂直同期信号の検出が行われる（Ｓ１８）。水平／垂直同期信号が検出されない場合，前記電源操作スイッチをオフする操作がなされたか否かが前記ＭＰＵ５により検出される（Ｓ１９）。
水平／垂直同期信号も前記電源操作スイッチのオフ操作も検出されなかった場合には，処理が前記手順Ｓ１８に戻され，両者の検出が繰り返し行われる。
前記手順Ｓ１８及びＳ１９が繰り返されている間に，パーソナルコンピュータに対して利用者により操作がなされ前記パーソナルコンピュータから前記アナログＬＣＤモニターへの前記表示信号の供給が再開され，前記手順Ｓ１８において水平／垂直同期信号が前記ＭＰＵ５により検出されたときには，処理が前記手順Ｓ２に戻され，前記電源回路１５からの電力が前記区画Ｅ３に供給される状態となる。すなわち，利用者が前記アナログＬＣＤモニターの前記電源操作スイッチをオンする操作をしなくても，自動的に通常の動作状態に移行して，表示が行われる。
また，前記手順Ｓ１８及びＳ１９が繰り返されている間に，利用者により前記アナログＬＣＤモニターの前記電源操作スイッチが操作され，前記手順Ｓ１９において前記電源操作スイッチをオフする操作が検出されると，処理が前記手順Ｓ１６に移行し，実質的に電源が切断され，処理は前記手順Ｓ１に戻ることになる。実質的に電源が切断された後に，前記アナログＬＣＤモニターの前記電源操作スイッチをオンする操作が利用者によりなされれば，その操作が前記手順Ｓ１において検出され，前記手順Ｓ２以降の処理が行われる。
なお，上述の実施の形態では，本発明をアナログＬＣＤモニターについて適用したが，これに限られるものではなく，例えばアナログＣＲＴモニターなどの他の表示装置について適用することも可能である。
また，前記実施の形態では，実質的に電源が切断される場合にも前記電源回路１５からの電力が前記区画Ｅ１に供給されていた。前記電源操作スイッチの操作によって機械的に前記電源回路１５と前記ＭＰＵ５とを導通させるようにすれば，前記手順Ｓ１６において，前記電源回路１５からの電力をいずれの区画にも供給しない，電力供給を零とした状態にすることも可能である。
【００１２】
【発明の効果】
以上説明した通り，本発明に係る表示装置では，電源を切断する際に所定の表示モードに表示モードが切り換えられるようなパーソナルコンピュータの電源が切断されたときに，表示装置側の電源も自動的に切断することができ，また同期信号が検出されなくなっても，表示モードが所定の表示モードになったことが検出されてから設定時間内に前記同期信号の入力がなくなったのでなければ，電力の供給状態を制御することができ，消費電力を抑えた状態から通常の状態に自動的に移行させることも可能となる。その結果，利用者は表示装置側の電源をオフする操作を行う必要がほとんどなくなり，表示装置の利便性を向上させつつ無駄な電力消費を抑えることができる。
【図面の簡単な説明】
【図１】  本発明の実施の形態に係る表示装置の概略構成を示す図。
【図２】  前記表示装置の動作を説明するためのフローチャート。
【符号の説明】
１，２…Ｄ−ＳＵＢ入力端子
３…セレクタスイッチ回路
４…バッファ回路
５…ＭＰＵ
６…操作手段
７…ＬＥＤ回路
８…ＰＬＬ回路
９…増幅回路
１０…Ａ／Ｄ変換回路
１１…フィールドメモリ
１２…ＡＳＩＣ
１３…ＬＣＤモジュール
１４…インバータ回路
１５…電源回路
【図１】
0004601186.tif 000002
【図２】
0004601186.tif 000003